(57)【要約】【課題】本発明は、静電気誘導を利用して、外から飛来し目の周囲面とリムの間を介して目に入ろうとする花粉をリム部に吸着することで、目への花粉の侵入を防ぐようにした新規の花粉症対策眼鏡を提供することを目的とする。【解決手段】本発明に係る花粉症対策眼鏡は、リム部に静電気誘電部を設け、当該静電気誘電部に電位を与える電池をモダン部に設けると共に、上記静電気誘電部は着用者の目の全周囲面に対向した状態で目を囲繞する配置にして設け、また上記静電気誘電部は、誘電体を挟んで絶縁した一方側電気導体及び他方側電気導体により構成し、これら一方側電気導体、他方側電気導体に上記電池から電位を与えるようにする、または、静電気誘電部に圧電素子等による高電圧発生装置を接続して高電位を与えるようにする。【選択図】図７
2007017939.tif 000002
【特許請求の範囲】
【請求項１】
花粉採集機能を果たす静電気誘電部をリムに設けたことを特徴とする花粉対策眼鏡。
【請求項２】
上記静電気誘電部が着用者の目の全周囲面若しくは略全周囲面に対向した状態で目を囲繞する配置にして設けられたことを特徴とする請求項１記載の花粉対策眼鏡。
【請求項３】
上記静電気誘電部が静電気を帯びやすいエボナイト、アクリル等の強誘電体により構成されたことを特徴とする請求項１又は２記載の花粉対策眼鏡。
【請求項４】
上記静電気誘電部は誘電体材料により構成されると共に当該静電気誘電部内には電気導体を外面に露呈しない状態にして設けられ、また電気導体には上記静電気誘電部に電界を形成して同部に静電気を発生させる電源が接続されたことを特徴とする請求項１又は２記載の花粉対策眼鏡。
【請求項５】
上記静電気誘電部が誘電体を挟んで絶縁した一方側電気導体及び他方側電気導体により構成され、これら一方側電気導体、他方側電気導体には上記電源が接続されたことを特徴とする請求項４記載の花粉対策眼鏡。
【請求項６】
上記電源が電池であることを特徴とする請求項４又は５記載の花粉対策眼鏡。
【請求項７】
上記電源が高電圧電源であることを特徴とする請求項４又は５記載の花粉対策眼鏡。
【請求項８】
上記高電圧電源が自家発電機能を備えた圧電素子により発電する構成にされたことを特徴とする請求項７記載の花粉対策眼鏡。
【発明の詳細な説明】
【技術分野】
【０００１】
本発明は、花粉症対策機能を備えた眼鏡に関する。具体的には、静電気誘導を利用して、外から飛来し目の周囲面とリムの間を介して目に入ろうとする花粉（以下、当該目に入ろうとする花粉を飛来花粉という）をリム部に吸着採集することより、目への花粉の侵入を防ぐようにした花粉症対策眼鏡に関する。なお、本発明は、サングラス及びオーバーサイズサングラスを含むものとする。
【背景技術】
【０００２】
近年、杉花粉等が目に入ることが原因で目の支障を訴える人、不快感を訴える人が増加している。特に杉花粉等の放出量が多い季節に集中して訴える人が多く発生している。
【０００３】
従前、目から侵入する花粉を防止する対策に有効であるとして、たとえば次のようなものが提供されている。
【０００４】
一般的には、花粉を入り難くしたフルカバータイプ、花粉の侵入を強制的に遮断するようにしたゴーグルタイプや、浄化した空気を送入して加圧空間を形成することで花粉、塵埃等を含む汚染空気の侵入を阻止するタイプ（特許文献１参照）が知られている。しかしながら、これらはいずれもあまりにも異形で仰々しく、美的外観に劣る上に使い辛いというような問題点があった。
【０００５】
また、静電気が表面に帯びにくい合成樹脂製の外側眼鏡グラス素材と静電気が帯びやすい合成樹脂製の内側眼鏡グラス素材とを貼り合せて構成された眼鏡グラスをもつ静電気利用タイプの花粉症対策眼鏡（特許文献２参照）が開示されている。しかしながら、これには、使用者が眼鏡グラスの内側に吸着した花粉、黄砂等塵を比較的頻繁に布などで拭き取らなければ、当該眼鏡グラスの見通しの良さが長時間に亘って保ち得ないのみならず当該拭き取りの際に黄砂等塵により眼鏡グラスにキズを付けてしまう惧れがあるというような致命的な欠陥があった。
【特許文献１】特開２００１−６１９７９号公報
【特許文献２】実用新案登録第３０８４４１４号公報
【発明の開示】
【発明が解決しようとする課題】
【０００６】
本発明は、静電気誘導を利用して花粉をリム部に吸着することにより目への花粉の侵入を防ぐようにし、よって上記問題点及び欠陥を一挙に解消するようにされた新規の花粉症対策眼鏡を提供することを目的とする。
【課題を解決するための手段】
【０００７】
上記目的を達成するために、請求項１に係る花粉症対策眼鏡は、花粉採集機能を果たす静電気誘電部をリムに設けたことを特徴とする。
【０００８】
この請求項１に係る花粉症対策眼鏡にあっては、静電気誘電部に静電誘導現象が起き、リム部の周囲にはバリアーが形成される。その結果、静電気誘電部すなわちリム部の表面には飛来花粉が吸着される。これにより目に入る花粉を防ぐことができる。
【０００９】
したがって、請求項１に係る花粉症対策眼鏡は、これを上記訴える人が着用したときには、上記支障、不快感を充分且つ確実に解消できる。
【００１０】
請求項２に係る花粉症対策眼鏡は、上記静電気誘電部が着用者の目の全周囲面若しくは略全周囲面に対向した状態で目を囲繞する配置にして設けられたことを特徴とする。
【００１１】
したがって、上記目の全周若しくは略全周に対向した状態で存する静電気誘電部によれば、飛来花粉をより高い効率で吸着できるから、完全若しくはほぼ完全に近い上記支障、不快感の解消が達成できる。
【００１２】
請求項３に係る花粉症対策眼鏡は、上記静電気誘電部が静電気を帯びやすいエボナイト、アクリル等の強誘電体により構成されたことを特徴とする。
【００１３】
したがって、上記請求項３に係る花粉症対策眼鏡は、上記静電気を帯びやすいエボナイト、アクリル等の強誘電体で構成された静電気誘電部（リム部）を毛皮や紙、布等を用いて擦ることにより、顔面から適当な距離をおいた非接触の状態に架けられるリム部を手軽に誘電した状態にすることができるものである。
【００１４】
このようにしてリム部を誘電した状態にすれば、上記請求項１に係る花粉症対策眼鏡と同様に、飛来する花粉をリム部に吸着採集して目に入る花粉を防止でき、上記支障、不快感の解消に有効に役立つものである。
【００１５】
特に、請求項３に係る花粉症対策眼鏡にあっては、リム部の誘電状態が上記したように毛皮や紙、布等を用いてリム部を擦るというだけの単純な操作で容易に確保できる利点を有する。
【００１６】
請求項４に係る花粉症対策眼鏡は、上記静電気誘電部が誘電体材料により構成されると共に当該静電気誘電部内には電気導体を外面に露呈しない状態にして設けられ、また電気導体には上記静電気誘電部に電界を形成して同部に静電気を発生させる電源が接続されたことを特徴とする。
【００１７】
したがって、電源から電気導体に電位を与えたときには、静電気誘電部に静電誘導現象が起き、リム部の周囲にはバリアーが形成される。その結果、静電気誘電部すなわちリム部の表面には飛来花粉が吸着されるから、これにより目に入る花粉を防ぐことができ、上記支障、不快感を充分且つ確実に解消できる。
【００１８】
請求項５に係る花粉症対策眼鏡は、上記静電気誘電部が誘電体を挟んで絶縁した一方側電気導体及び他方側電気導体により構成され、これら一方側電気導体、他方側電気導体には上記電源が接続されたことを特徴とする。
【００１９】
したがって、電源から一方側電気導体及び他方側電気導体に電位を与えたときには静電気誘電部に静電誘導現象が起き、リム部の周囲にはバリアーが形成されて、静電気誘電部すなわちリム部の表面には飛来花粉が吸着されるから、これにより目に入る花粉を防ぐことができ、上記支障、不快感を充分且つ確実に解消できる。
【００２０】
請求項６に係る花粉症対策眼鏡は、上記電源が電池であるので、扱い易く便利である。
【００２１】
請求項７に係る花粉症対策眼鏡は、上記電源が高電圧電源であるので、リム部の表面に対する飛来花粉の吸着力が強く、より効率よく目に入る花粉を防ぐことができる。
【００２２】
請求項８に係る花粉症対策眼鏡は、上記高電圧電源が自家発電機能を備えた圧電素子により発電する構成にされたことを特徴とするので、リム部の表面に対する飛来花粉の吸着力が強く、より効率よく目に入る花粉を防ぐことができるは勿論であるが、特に占有容積を必要とする比較的重い電池を用いないでも実施できるから、高電圧電源部のコンパクト化、軽量化に有利である。
【発明の効果】
【００２３】
本発明に係る花粉症対策眼鏡は、これを普通の眼鏡と同じように架けて用いたときには、飛来花粉を静電気誘電部（リム部）の静電誘導効果により誘電して当該静電気誘電部（リム部）に吸着し、目に入ろうとする花粉を効率よく防ぐことができる。したがって、花粉が目に入ることから生じていた花粉症を顕著に軽減できる。また、本発明に係る花粉症対策眼鏡は、外観的には、普通の眼鏡やサングラスと何ら変わるところはないのでファッション性にも優れている。さらに本発明に係る花粉症対策眼鏡は、眼鏡グラスの内側に花粉を吸着させるタイプではないので、上記の致命的な欠陥を解消できる。しかも、高電圧電源利用で、より高い静電誘導効果を得ることが可能であるから、より有効な花粉症対策ができる。特に高電圧電源に圧電素子を用いることでコンパクト化、軽量化ができる。
【発明を実施するための最良の形態】
【００２４】
以下、本発明に係る実施の形態を図面に基づいて説明する。
【００２５】
図１は、第１実施の形態に係る花粉症対策眼鏡１を示しているものであって、全体の斜視図である。
【００２６】
この第１実施の形態に係る花粉症対策眼鏡１は、リム部２と、当該リム部２に嵌められた眼鏡グラス３と、当該リム部２に設けられたヨロイ部４と、当該ヨロイ部４に蝶番部５を介して折り畳み可能にして設けられた左右のテンプル６とにより構成されている。そして、上記リム部２は、全体がエボナイト製にされ、静電気誘電部７として機能するようにされているものである。なお、リム部２は、静電気を帯びやすい強誘電体であればよく、アクリル、その他の材料により構成することは自由である。また、眼鏡グラス３は静電気を誘電しない材料製であることが望ましい。
【００２７】
また、図２〜図５は、第２実施の形態に係る花粉症対策眼鏡１１を示しているものであって、図２は全体の斜視図であり、図３は図２AーA線に沿う要部の拡大断面図であり、図４は図２BーB線に沿う要部の拡大断面図であり、図５は電気的等価回路図である。
【００２８】
この第２実施の形態に係る花粉症対策眼鏡１１は、上記第１実施の形態に係る花粉症対策眼鏡１と同様に、リム部１２と、当該リム部１２に嵌められた眼鏡グラス１３と、当該リム部１２の左右両側に設けられたヨロイ部１４と、当該ヨロイ部１４に蝶番部１５を介して折り畳み可能に連結された左右のテンプル１６とにより構成されている。
【００２９】
この第２実施の形態に係る花粉症対策眼鏡１１は、上記リム部１２の全体が静電気誘電部１７として機能する構成にされ、また、テンプル１６に設けたモダン部１８には、上記静電気誘電部１７に電位を与える電池１９が埋設されているものである。この電池１９は、必要に応じて交換できるようにしても良いし、交換できない眼鏡全体を使い捨てるタイプにしてもよい。
【００３０】
上記の静電気誘電部１７は、誘電体２０を挟んで絶縁した一方側電気導体２１及び他方側電気導体２２により構成されたコンデンサー形成部２３がリム部１２に埋め込んだ状態にしてある。そして、上記の一方側電気導体２１および他方側電気導体２２には上記電池１９から電位が与えられるようにしてある。なお、上記一方側電気導体２１及び他方側電気導体２２は金属板製である。
【００３１】
また、上記蝶番部１５による連結部２４には、テンプル１６の折り畳み状態にあっては非導通状態を呈し、非折り畳み状態にあっては導通状態を呈するスィッチ部２５が設けられ、さらに上記ヨロイ部１４には抵抗２６およびバネ２７が内蔵されている。
【００３２】
なお、上記第２実施の形態に係る花粉症対策眼鏡１１は、図５に示すような電気的等価回路２８を形成するようにされている。この回路２８は、モダン部１８に設けられた電池１９を含む電池部分２９と、上記連結部２４に設けられたスィッチ２５を含むスィッチ部分３０と、コンデンサー形成部２３を形成する静電気誘電部１７として機能する主要部分３１とから構成されている。すなわち、スィッチ２５が「入り」の状態（眼鏡をかけている状態）にある場合には主要部分３１のコンデンサー形成部２３が誘電の状態を呈し、「切り」の状態にある場合には主要部分３１のコンデンサー形成部２３に誘電している静電気を抵抗２６に流して放電するようにしてある。
【００３３】
上記電池１９は、図６に示す第３実施の形態に係る花粉症対策眼鏡４１のように、鼻プレート（ブリッジ）４２の上側箇所に電池ボックス４３を設けて格納する構成にすることができる。この場合、図には示していないが、鼻プレート４２にスィッチを設けることが好ましい。このような電池、スィッチの設け方をした場合には、これら電池、スィッチを一つのパーツにまとめることができるので、構成の簡略化、低コスト化に好都合である。
【００３４】
また、図７および図８は、第４実施の形態に係る花粉症対策眼鏡５１を示しているものであって、図７は全体の斜視図であり、図８は図７CーC線に沿う拡大断面図である。
【００３５】
この第４実施の形態に係る花粉症対策眼鏡５１は、上記第１実施の形態に係る花粉症対策眼鏡１と同様に、リム部５２と、当該リム部５２に嵌められた眼鏡グラス５３と、当該リム部５２に設けられたヨロイ部５４と、当該ヨロイ部５４に蝶番部（図示せず）を介して折り畳み可能に連結された左右のテンプル５６とにより構成されている。
【００３６】
上記リム部５２は、その全体が誘電体として機能する合成樹脂材等絶縁材料により構成されている。このリム部５２の中には当該リム部５２に電界を与える電極として機能する多数本の撚線５７から成る電気導体５８が着用者の目の略全周囲面に対向した状態および外面に露呈しない安全な状態にして埋め込まれている。この場合、撚線５７同士間には放電効率を高める空隙５９を残してある。なお、電気導体５８には、導電金属製の単線、合成樹脂皮膜付き単線、該合成樹脂皮膜付き単線の撚線、薄手の帯状金属板等のような導電材料を使用できる。また、上記の空隙５９は設けなくともよい。
【００３７】
また、上記電気導体５８には後述する高電圧電源装置６０がリード線６１を介して接続され、そしてリード線６１は保持部材６２により片方のテンプル５６に支持されている。すなわち、高電圧電源装置６０は、衣服のポケット等に入れて携帯しうるようにされ、リム部５２表面の電荷が、使用による環境の影響、特に湿度や温度の影響や着用者が手で触れる等することにより中和された場合には、適宜操作して上記中和を防止できる状態で装備されている。
【００３８】
上記の高電圧電源装置６０は、自家発電手段として機能する圧電素子６３と、当該圧電素子６３に対してバネ、ラチェット等の機構（図示せず）を介して瞬間的に大きな機械的衝撃を加える押圧操作部６４とを備え、圧電素子６３が押圧操作部６４の操作による機械的衝撃を受けて発する高圧の起電力を上記の電気導体５８の各撚線５７に対して一挙且つ瞬間的に高電圧放電するように構成されている。
【００３９】
また、この高電圧放電を圧電素子６３から瞬間だけ受けた電気導体５８は、電界を形成してリム部５２の表面に静電気を蓄える。
【００４０】
すなわち、この第４実施の形態に係る花粉症対策眼鏡５１は、押圧操作部６４を適宜に操作することによりリム部５２の電荷の中和を防止できる。なお、押圧操作部６４の操作は、間歇的に行なうように自動化することができる。
【００４１】
また、図９は、第５実施の形態に係る花粉症対策眼鏡６５を示しているものであって、全体の斜視図である。
【００４２】
この第５実施の形態に係る花粉症対策眼鏡６５は、乾電池６６および電気回路部６７で駆動される高電圧電源装置６８を用いて電気導体５７に瞬間的に高電圧放電するように構成されたものである。なお、その他の構成は、第４実施の形態に係る花粉症対策眼鏡５１と同様であるので、同じ部位に同一の符号を付してその詳細な説明は省略する。また、乾電池６６で駆動される高電圧電源装置６８は、瞬間的に高電圧放電する公知のものであるからその詳細な説明は省略する。
【００４３】
本発明は、上記したように、リム部の静電誘導によるバリヤー（電界）を利用して目の周辺を均一に防御しうるようにするために、次のようにすることが望ましい。すなわち、顔面に直に接触しないリムの形状は、バリヤー（電界）の重なり合わない部分を顔面のコントーと近似値的に相似であるようなデザインにすることが望ましい。また、一般的に、二目の眼鏡では、鼻梁付近のコントーは複雑でその形状にリムの形状を対応させるのは難しいが、幸いなことに左右の眼鏡の鼻梁側のバリヤーはほぼオーバーラップして鼻梁上でのバリヤーの隙間は出来にくいので、必ずしもリムは鼻梁のコントーに合わせる必要はなく、一般的なデザインのままでも良い。また、一般的に眼鏡のヨロイ及びヒンジ周辺（蝶番周辺）は、顔面から離れていて静電誘導のバリヤー効果が薄れるので、その周辺のリムの形状は可能な限り顔面のコントーに合わせることが望ましい。
【図面の簡単な説明】
【００４４】
【図１】第１実施の形態に係る花粉症対策眼鏡を示す全体の斜視図である。
【図２】第２実施の形態に係る花粉症対策眼鏡を示す全体の斜視図である。
【図３】図２AーA線に沿う要部の拡大断面図である。
【図４】図２BーB線に沿う要部の拡大断面図である。
【図５】電気的等価回路図である。
【図６】第３実施の形態に係る花粉症対策眼鏡を示す全体の斜視図である。
【図７】第４実施の形態に係る花粉症対策眼鏡を示す全体の斜視図である。
【図８】図７CーC線に沿う拡大断面図である。
【図９】第５実施の形態に係る花粉症対策眼鏡を示す全体の斜視図である。
【符号の説明】
【００４５】
１  第１実施の形態に係る花粉症対策眼鏡
２  リム部
３  眼鏡グラス
４  ヨロイ部
５  蝶番部
６  テンプル
７  静電気誘電部
１１  第２実施の形態に係る花粉症対策眼鏡
１２  リム部
１３  眼鏡グラス
１４  ヨロイ部
１５  蝶番部
１６  テンプル
１７  静電気誘電部
１８  モダン部
１９  電池
２０  誘電体
２１  一方側電気導体
２２  他方側電気導体
２３  コンデンサー形成部
２４  連結部
２５  スィッチ部
２６  抵抗
２７  バネ
２８  電気的等価回路
２９  電池部分
３０  スィッチ部分
３１  主要部分
４１  第３実施の形態に係る花粉症対策眼鏡
４２  鼻プレート
４３  電池ボックス
５１  第４実施の形態に係る花粉症対策眼鏡
５２  リム部
５３  眼鏡グラス
５４  ヨロイ部
５６  テンプル
５７  撚線
５８  電気導体
５９  空隙
６０  高電圧電源装置
６１  リード線
６２  保持部材
６３  圧電素子
６４  押圧操作部
６５  第５実施の形態に係る花粉症対策眼鏡
６６  乾電池
６７  電気回路部
６８  高電圧電源装置
【図１】
2007017939.tif 000003
【図２】
2007017939.tif 000004
【図３】
2007017939.tif 000005
【図４】
2007017939.tif 000006
【図５】
2007017939.tif 000007
【図６】
2007017939.tif 000008
【図７】
2007017939.tif 000009
【図８】
2007017939.tif 000010
【図９】
2007017939.tif 000011